(57)【要約】【課題】伝送レートを変更して再送時の伝送エラーを低減すると共に、再送するデータを低減することにより、伝送効率を向上させるＯＦＤＭ伝送装置を提供することを目的とする。【解決手段】複数の伝送レートのいずれかを用いてデータの送信またはデータの受信を行うＯＦＤＭ伝送装置において、データの受信において、受信したデータにエラーが生じた場合、所定の品質に満たないキャリアのデータに誤りがあったと判断して、所定の品質に満たないキャリアの番号を付加したＮＡＣＫ信号を用いて再送要求を行い、受信したデータの伝送レートより低速の伝送レートに切り替えて、再送されるデータの受信を行い、データの送信において、データの送信後にＮＡＣＫ信号を受信した場合、送信したデータの伝送レートより低速の伝送レートに切り替えて、所定の品質に満たないキャリアのデータの再送を行う。【選択図】　　　　図１
2004147068.tif 000002
【特許請求の範囲】
【請求項１】
複数の伝送レートのいずれかを用いてデータの送信またはデータの受信を行うＯＦＤＭ伝送装置において、
前記データの受信において、受信したデータにエラーが生じた場合、所定の品質に満たないキャリアのデータに誤りがあったと判断して、前記所定の品質に満たないキャリアの番号を付加したＮＡＣＫ信号を用いて再送要求を行い、前記受信したデータの伝送レートより低速の伝送レートに切り替えて、再送されるデータの受信を行い、
前記データの送信において、データの送信後に前記ＮＡＣＫ信号を受信した場合、送信したデータの伝送レートより低速の伝送レートに切り替えて、前記所定の品質に満たないキャリアのデータの再送を行う
ことを特徴とするＯＦＤＭ伝送装置。
【請求項２】
請求項１に記載のＯＦＤＭ伝送装置において、
前記伝送レートの切り替えは、変調方式及び符号化率の切り替えによって行うことを特徴とするＯＦＤＭ伝送装置。
【請求項３】
ターボ符号又はパンクチャード符号化を用いてデータの送信またはデータの受信を行うＯＦＤＭ伝送装置において、
前記データの送信において、ターボ符号又はパンクチャード符号化により生成された符号化ビット列を送信すると共に、前記ターボ符号又はパンクチャード符号化により消失した消失ビット列を保持し、前記符号化ビット列の送信にエラーが生じたと判断した場合、前記消失ビット列を送信し、
前記データの受信において、受信した前記符号化ビット列とダミービットを用いて所定のデータのビタビ復号を行った結果にエラーが生じた場合、受信した前記符号化ビット列を保持し、次に消失ビット列を受信した際に、保持した前記符号化ビット列と受信した消失ビット列を用いて再度前記所定のデータのビタビ復号を行う
ことを特徴とするＯＦＤＭ伝送装置。
【発明の詳細な説明】
【０００１】
【発明の属する技術分野】
本発明は、相互に直交する複数のキャリアに一連のデータを分割して送信するＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）方式において、伝送経路上で発生した伝送エラーを再送により補償するＯＦＤＭ伝送装置に関するものである。
【０００２】
【従来の技術】
送信時におけるＯＦＤＭ伝送装置は、相互に直交する複数のキャリアを、それぞれ複数のデータにより変調して多重化して送信する。一方、受信時におけるＯＦＤＭ伝送装置は、これら複数のキャリアを用いて伝送された複数のデータを同時に受信して合成する。このような従来のＯＦＤＭ伝送装置による伝送エラーの補償について説明する。
【０００３】
図１０は、従来のＯＦＤＭ伝送装置の構成の一例を示すブロック図である。ここでは、伝送効率を向上させるためにパンクチャード符号化を用いるＯＦＤＭ伝送装置について説明する。図１０に示すように、このＯＦＤＭ伝送装置は、制御部１と、畳み込み符号化部２と、パンクチャード符号化部３と、送信バッファ４と、ＯＦＤＭ変調部５と、アンテナ切替部６と、アンテナ７と、ＯＦＤＭ復調部８と、受信バッファ９と、ビタビ復号化部１０と、フレームエラー検出部１１から構成される。制御部１は各ブロックとバスを介して接続されている。以下、２つのＯＦＤＭ伝送装置が通信を行う例について例に説明する。２つのＯＦＤＭ伝送装置のうち、第１のＯＦＤＭ伝送装置がデータの送信を行い、第２のＯＦＤＭ伝送装置がデータの受信を行うものとする。
【０００４】
まず、第１のＯＦＤＭ伝送装置の動作について説明する。外部から入力された入力データは、制御部１から指示された符号化率に従って畳み込み符号化部２により畳み込み符号化され、制御部１から指示された符号化率に従ってパンクチャード符号化部３によりパンクチャード符号化され、符号化ビット列として送信バッファ４へ出力される。符号化ビット列は、送信するキャリア毎に分割され、保持ビット列として送信バッファ４に保持されると共に、ＯＦＤＭ変調部５により制御部１から指示された変調方式を用いてフレーム単位で変調され、送信信号としてアンテナ切替部６へ出力される。送信信号は、アンテナ切替部６によりアンテナ７へ出力され、第２のＯＦＤＭ伝送装置へ送信される。アンテナ切替部６は、送信時にはアンテナ７を送信アンテナへ切り替え、受信時にはアンテナ７を受信アンテナへ切り替える。
【０００５】
次に、第２のＯＦＤＭ伝送装置の動作について説明する。アンテナから受信された受信信号は、ＯＦＤＭ復調部８により制御部１から指示された復調方式を用いてフレーム単位で復調され、受信ビット列として受信バッファ９へ出力される。この時、受信ビット列は、保持ビット列として受信バッファ９に保持されると共に、制御部１から指示された符号化率に従ってビタビ復号化部１０によりビタビ復号され、フレームエラー検出部１１へ出力される。ビタビ復号化部１０は、パンクチャード符号化による消失ビット列の位置にダミービットを挿入し、ビタビ復号を行う。
【０００６】
フレームエラー検出部１１はフレームエラーの検出を行う。フレームエラーが検出されない場合、フレームエラー検出部１１はそのフレームを出力データとして外部へ出力すると共に、フレームエラーがないことを制御部１へ出力する。制御部１は、ＡＣＫ（ＡＣＫｎｏｗｌｅｄｇｅｍｅｎｔ）信号を、アンテナ切替部６を介してアンテナ７から第１のＯＦＤＭ伝送装置へ送信する。フレームエラーが検出された場合、フレームエラー検出部１１は検出結果を制御部１へ出力する。制御部１は、フレームエラーが検出されたフレームの再送要求を表す制御情報を付加したＮＡＣＫ（Ｎｅｇａｔｉｖｅ　ＡＣＫｎｏｗｌｅｄｇｅｍｅｎｔ）信号を、アンテナ切替部６を介してアンテナ７から第１のＯＦＤＭ伝送装置へ送信する。
【０００７】
一方、第１のＯＦＤＭ伝送装置が、第２のＯＦＤＭ伝送装置からＮＡＣＫ信号を受信した場合、第１のＯＦＤＭ伝送装置における制御部１は、ＮＡＣＫ信号に付加された制御情報に従って再送すべきフレームを送信バッファ４から読み出し、再送フレームとして第２のＯＦＤＭ伝送装置へ送信する。
【０００８】
一方、第２のＯＦＤＭ伝送装置が、第１のＯＦＤＭ伝送装置から再送フレームを受信した場合、第２のＯＦＤＭ伝送装置における制御部１は、保持ビット列を受信バッファ９から読み出し、保持ビット列のうちフレームエラーが検出されたフレームを再送フレームへ置き換える。以上のように、従来のＯＦＤＭ伝送装置では、第２のＯＦＤＭ伝送装置は、受信した受信ビット列においてフレームエラーが発生したときはそのフレームの再送要求を行い、第１のＯＦＤＭ伝送装置からフレーム単位での再送フレームを受信することにより、伝送エラーの補償を行う。
【０００９】
また、再送により伝送エラーを補償するＯＦＤＭ伝送装置として、伝送エラーがあると判断したキャリアのデータのみを再送することにより、伝送効率を向上させるものがある（例えば、特許文献１参照）。
【００１０】
【特許文献１】
特開平１１−５５２０６号公報（第４−６頁、図１）
【００１１】
【発明が解決しようとする課題】
しかしながら、再送するときに用いる変調方式等の条件が、伝送エラーが発生した時と同じであることから、再送においても伝送エラーが発生する場合がある。また、データの再送により伝送効率が低下するという問題がある。
【００１２】
本発明は上述した課題に鑑みてなされたものであり、伝送レートを変更して再送時の伝送エラーを低減すると共に、再送するデータを低減することにより、伝送効率を向上させるＯＦＤＭ伝送装置を提供することを目的とする。
【００１３】
【課題を解決するための手段】
上述した課題を解決するため、本発明は、複数の伝送レートのいずれかを用いてデータの送信またはデータの受信を行うＯＦＤＭ伝送装置において、前記データの受信において、受信したデータにエラーが生じた場合、所定の品質に満たないキャリアのデータに誤りがあったと判断して、前記所定の品質に満たないキャリアの番号を付加したＮＡＣＫ信号を用いて再送要求を行い、前記受信したデータの伝送レートより低速の伝送レートに切り替えて、再送されるデータの受信を行い、前記データの送信において、データの送信後に前記ＮＡＣＫ信号を受信した場合、送信したデータの伝送レートより低速の伝送レートに切り替えて、前記所定の品質に満たないキャリアのデータの再送を行うことを特徴とするものである。
【００１４】
このような構成によれば、データの送信を行うＯＦＤＭ送信装置とデータの受信を行うＯＦＤＭ装置において、データの再送時には受信したデータの伝送レートより低速の伝送レートを採用することにより、再送の信頼性を向上させることができる。
【００１５】
また、本発明に係るＯＦＤＭ伝送装置において、前記伝送レートの切り替えは、変調方式及び符号化率の切り替えによって行うことを特徴とするものである。
【００１６】
このような構成によれば、データの送信を行うＯＦＤＭ送信装置とデータの受信を行うＯＦＤＭ装置において、適切な伝送レートを選択することができる。
【００１７】
また、本発明は、ターボ符号又はパンクチャード符号化を用いてデータの送信またはデータの受信を行うＯＦＤＭ伝送装置において、前記データの送信において、ターボ符号又はパンクチャード符号化により生成された符号化ビット列を送信すると共に、前記ターボ符号又はパンクチャード符号化により消失した消失ビット列を保持し、前記符号化ビット列の送信にエラーが生じたと判断した場合、前記消失ビット列を送信し、前記データの受信において、受信した前記符号化ビット列とダミービットを用いて所定のデータのビタビ復号を行った結果にエラーが生じた場合、受信した前記符号化ビット列を保持し、次に消失ビット列を受信した際に、保持した前記符号化ビット列と受信した消失ビット列を用いて再度前記所定のデータのビタビ復号を行うことを特徴とするものである。
【００１８】
このような構成によれば、データの送信を行うＯＦＤＭ送信装置において、エラー発生時に符号化ビット列に比べて短い消失ビット列のみを送信することにより、伝送効率を向上させることができる。
【００１９】
【発明の実施の形態】
以下、本発明の実施の形態について図面を参照して詳細に説明する。
実施の形態１．
本実施の形態は、データの送信を行うＯＦＤＭ伝送装置とデータの受信を行うＯＦＤＭ伝送装置が複数の伝送レートを選択可能とし、再送時には伝送レートの変更を行うものである。以下、本発明の実施の形態に係るＯＦＤＭ伝送装置による伝送エラーの補償について説明する。
【００２０】
図１は、本発明の実施の形態に係るＯＦＤＭ伝送装置の構成の一例を示すブロック図である。ここでは、伝送効率を向上させるためにパンクチャード符号化を用いるＯＦＤＭ伝送装置について説明する。図１に示すように、このＯＦＤＭ伝送装置は、制御部２１と、畳み込み符号化部２と、パンクチャード符号化部２２と、送信バッファ４と、ＯＦＤＭ変調部５と、アンテナ切替部６と、アンテナ７と、ＯＦＤＭ復調部８と、受信バッファ９と、ビタビ復号化部１０と、フレームエラー検出部１１と、信頼度評価部２３から構成される。制御部２１は各ブロックとバスを介して接続されている。図１において、図１０と同一符号は図１０に示された対象と同一又は相当物を示しており、ここでの説明を省略する。
【００２１】
図１に示すＯＦＤＭ伝送装置は、複数の伝送レートを選択可能であり、制御部２１は選択した伝送レートに応じて変調方式と符号化率を設定する。データの送信において、制御部２１は畳み込み符号化部２とパンクチャード符号化部２２へ符号化率を設定し、ＯＦＤＭ変調部５へ変調方式を設定する。またデータの再送時において、制御部２１は符号化率の設定に伴い送信バッファ４から送信するビット列を設定し、ＯＦＤＭ変調部５へ変調方式を設定する。また、データの受信において、制御部２１はビタビ復号部１０へ符号化率を設定し、ＯＦＤＭ復調部８へ変調方式を設定する。
【００２２】
以下、２つのＯＦＤＭ伝送装置が通信を行う例について説明する。２つのＯＦＤＭ伝送装置のうち、第１のＯＦＤＭ伝送装置がデータの送信を行い、第２のＯＦＤＭ伝送装置がデータの受信を行うものとする。
【００２３】
まず、第１のＯＦＤＭ伝送装置の動作についてフローチャートを用いて説明する。図２は、実施の形態１におけるデータの送信を行うＯＦＤＭ伝送装置の動作の一例を示すフローチャートである。まず、第１のＯＦＤＭ伝送装置における制御部２１は、第２のＯＦＤＭ伝送装置からの再送要求があったか否かの判断を行う（Ｓ１）。
【００２４】
再送要求がない場合（Ｓ１，Ｎ）、制御部２１は通常のデータの送信を行う。外部から入力された入力データは、制御部２１から指示された符号化率に従って畳み込み符号化部２により畳み込み符号化され（Ｓ２）、制御部２１から指示された符号化率に従ってパンクチャード符号化部２２によりパンクチャード符号化される（Ｓ３）。パンクチャード符号化された符号化ビット列と、パンクチャード符号化により消失した消失ビット列は、送信バッファ４へ出力される。符号化ビット列と消失ビット列は、送信するキャリア毎に分割され、どのキャリアで送信したかを関連付け、保持ビット列として送信バッファ４に保持される（Ｓ４）。
【００２５】
また、符号化ビット列と消失ビット列のうち送信されるビット列は符号化率に従って選択され、送信ビット列としてＯＦＤＭ変調部５へ出力される。ここで、符号化率の設定に伴いパンクチャード符号化を行う場合は、符号化ビット列のみが送信され、消失ビット列は送信されない。一方、符号化率の設定に伴いパンクチャード符号化を行わない場合は、符号化ビット列と消失ビット列のすべてが送信される。送信ビット列は、ＯＦＤＭ変調部５により制御部２１から指示された変調方式を用いてフレーム単位で変調され、アンテナ切替部６とアンテナ７を介して第２のＯＦＤＭ伝送装置へ送信される（Ｓ５）。
【００２６】
一方、第１のＯＦＤＭ伝送装置が、第２のＯＦＤＭ伝送装置からＮＡＣＫ信号を受信した場合（Ｓ１，Ｙ）、第１のＯＦＤＭ伝送装置における制御部２１は、ＮＡＣＫ信号に付加された制御情報により伝送レートを変更するか否かの判断を行う（Ｓ１１）。
【００２７】
伝送レートに変更がない場合（Ｓ１１，Ｎ）、制御部２１は制御情報に含まれる低信頼度キャリアの番号に従って、保持ビット列のうち低信頼度キャリアの番号に対応するビット列のみを送信バッファ４から読み出して再送ビット列とし（Ｓ１３）、再送ビット列を複数キャリアで分割し、第２のＯＦＤＭ伝送装置へ送信する（Ｓ５）。
【００２８】
伝送レートに変更がある場合（Ｓ１１，Ｙ）、制御部２１はＮＡＣＫ信号に付加された制御情報から変調方式と符号化率を決定し、符号化率に応じて送信バッファ４から送信するビット列を設定し、変調方式をＯＦＤＭ変調部５に設定する（Ｓ１２）。また、保持ビット列のうち低信頼度キャリアの番号に対応するビット列のみを送信バッファから読み出して再送ビット列とし（Ｓ１３）、再送ビット列を複数キャリアへ分割し、第２のＯＦＤＭ伝送装置へ送信する（Ｓ５）。
【００２９】
次に、第２のＯＦＤＭ伝送装置の動作についてフローチャートを用いて説明する。図３は、実施の形態１におけるデータの受信を行うＯＦＤＭ伝送装置の動作の一例を示すフローチャートである。まず、第２のＯＦＤＭ伝送装置における制御部２１は、ＯＦＤＭ復調部８により復調された受信ビット列が再送ビット列であるか否かの判断を行う（Ｓ２１）。
【００３０】
再送ビット列ではない場合（Ｓ２１，Ｎ）、制御部２１は通常のデータの受信を行う。受信ビット列は消失ビット列の位置にダミービットが挿入され、保持ビット列として受信バッファ９に保持されると共に（Ｓ２２）、制御部１から指示された符号化率に従ってビタビ復号化部１０によりビタビ復号され（Ｓ２３）、フレームエラー検出部１１へ出力される。
【００３１】
一方、ＯＦＤＭ復調部８におけるキャリア毎の信頼度情報は信頼度評価部２３へ出力される。信頼度情報とは、例えばキャリア毎の受信信号電力レベルや信号電力対干渉電力比を用いたキャリア信頼度や、キャリア毎のＢＥＲ（Ｂｉｔ　Ｅｒｒｏｒ　Ｒａｔｅ）である。信頼度評価部２３は、信頼度情報に基づいてキャリア毎の信頼度評価を行い、信頼度の低いキャリア（低信頼度キャリア）を抽出し、低信頼度キャリアの番号を制御部２１へ出力する（Ｓ４１）。信頼度評価とは、信頼度情報が所定のしきい値を下回るキャリアを、低信頼度キャリアとして判定することである。
【００３２】
フレームエラー検出部１１はフレームエラーの検出を行う（Ｓ２４）。フレームエラーが検出されない場合（Ｓ２４，Ｎ）、フレームエラー検出部１１はそのフレームを出力データとして外部へ出力すると共に、フレームエラーがないことを制御部２１へ出力する。制御部２１は、ＡＣＫ信号を第１のＯＦＤＭ伝送装置へ送信する（Ｓ２５）。
【００３３】
フレームエラーが検出された場合（Ｓ２４，Ｙ）、フレームエラー検出部１１は検出結果を制御部２１へ出力する。制御部２１は、信頼度評価部２３で抽出された低信頼度キャリアの番号を含めた制御情報をＮＡＣＫ信号に付加する（Ｓ４２）。さらに制御部２１は、フレームエラー検出部１１の出力または信頼度評価部２１の出力を元に、第１のＯＦＤＭ伝送装置からの再送時の伝送レートの変更を行うか否かの判断を行う（Ｓ４３）。
【００３４】
伝送レートを変更しない場合（Ｓ４３，Ｎ）、制御部２１は、低信頼度キャリアの番号を含む制御情報をＮＡＣＫ信号に付加したものを、第１のＯＦＤＭ伝送装置へ送信する（Ｓ４５）。
【００３５】
伝送レートを変更する場合（Ｓ４３，Ｙ）、制御部２１は、低信頼度キャリアの番号と伝送レートを含む制御情報をＮＡＣＫ信号に付加し（Ｓ４４）、第１のＯＦＤＭ伝送装置へ送信する（Ｓ４５）。また、制御部２１は変更した伝送レートに応じて、ＯＦＤＭ復調部８の変調方式を設定し、ビタビ復号部１０の符号化率を設定し、再送ビット列の受信の準備を行う。
【００３６】
第２のＯＦＤＭ伝送装置が、第１のＯＦＤＭ伝送装置から再送ビット列を受信した場合（Ｓ２１，Ｙ）、制御部２１は、保持ビット列を受信バッファ９から読み出し（Ｓ３１）、保持ビット列のうち低信頼度キャリアのビット列を再送ビット列へ置き換える部分置き換えを行う（Ｓ３２）。その後、処理Ｓ２３へ移行し、部分置き換えを行ったビット列のビタビ復号を行い、フレームエラーの検出を行う。
【００３７】
再送が終了した時、第１のＯＦＤＭ伝送装置の制御部２１は、ＯＦＤＭ変調部５における再送時の変調方式と再送時に送信バッファ４から送信されるビット列の設定を元の設定に戻す。また、再送が終了した時、第２のＯＦＤＭ伝送装置の制御部２１は、ＯＦＤＭ復調部８における再送時の変調方式とビタビ復号部１０における再送時の符号化率の設定を元の設定に戻す。
【００３８】
ここで、伝送レートの変更について詳細に説明する。第１のＯＦＤＭ伝送装置と第２のＯＦＤＭ伝送装置における制御部２１は、伝送レート変更テーブルを備える。ここでは説明のため、第１のＯＦＤＭ伝送装置の制御部を制御部２１Ａとし、第２のＯＦＤＭ伝送装置の制御部を制御部２１Ｂとする。
【００３９】
図４は、キャリア信頼度に基づく伝送レート変更テーブルの一例を示す図である。また、図５は、ＢＥＲに基づく伝送レート変更テーブルの一例を示す図である。ここで、図４と図５における符号化率３／４とは、符号化率１／２の畳み込み符号化の後、パンクチャード符号化した結果である。
【００４０】
制御部２１Ｂが図４の伝送レート変更テーブルを備えている場合、制御部２１Ｂは、キャリア信頼度αが存在する範囲に応じて伝送レートを決定する。図４においてＡ〜Ｉは予め設定されたキャリア信頼度のしきい値を表す。
【００４１】
例えば、変調方式を６４ＱＡＭ、符号化率を３／４と設定し、伝送レートが５４Ｍｂｐｓで通信を行ったとする。データの受信を行った第２のＯＦＤＭ伝送装置において、キャリア信頼度αの範囲がＣ≦α＜Ｄである場合、図４の伝送レート変更テーブルに従って、制御部２１Ｂは変調方式をＱＰＳＫ、符号化率を１／２として設定する。その結果、再送時の伝送レートは１２Ｍｂｐｓとなる。制御部２１Ｂは、低信頼度キャリアの番号と再送時の伝送レートを含む制御情報をＮＡＣＫ信号に付加し、第１のＯＦＤＭ伝送装置へ送信する。制御部２１Ａは、制御情報に含まれる伝送レート９Ｍｂｐｓに従って、変調方式をＱＰＳＫとしてＯＦＤＭ変調部５に設定し、符号化率が１／２であることから送信バッファ４における符号化ビット列と消失ビット列を送信ビット列として第２のＯＦＤＭ伝送装置へ送信する。
【００４２】
また、制御部２１Ｂが図５の伝送レート変更テーブルを備えている場合、制御部２１Ｂは、ＢＥＲβが存在する範囲に応じて伝送レートを決定する。図５においてａ〜ｉは予め設定されたＢＥＲのしきい値を表す。
【００４３】
以上の処理において、信頼度が低いと判断した全てのキャリアのデータを再送してもフレームエラーが発生した場合は、当該フレームの伝送を始めからやり直し、この処理が規定の回数繰り返し行われた場合はタイムアウトとする。
【００４４】
以上、本実施の形態によれば、データの送信を行うＯＦＤＭ送信装置とデータの受信を行うＯＦＤＭ装置において、データの再送時には受信したデータの伝送レートより低速の伝送レートを採用することにより、再送の信頼性を向上させることができる。本実施の形態では、データの受信を行う第２のＯＦＤＭ伝送装置が変調方式変更テーブルに従って伝送レートを変更するとしたが、再送時における伝送レートの変更パターンを、データの送信を行うＯＦＤＭ送信装置とデータの受信を行うＯＦＤＭ装置で予め決めておくようにしても良い。なお、本実施の形態では、パンクチャード符号を用いた場合について説明しているが、ターボ符号を用いても同様に適用できる。これは後述する実施の形態２，３においても同様である。
【００４５】
実施の形態２．
本実施の形態は、データの送信を行うＯＦＤＭ伝送装置は、パンクチャード符号化された符号化ビット列の受信においてエラーが生じた場合に、保持しておいたパンクチャード符号化による消失ビット列を送信し、受信側のＯＦＤＭ伝送装置において消失ビット列を用いてビタビ復号を行うものである。以下、本発明の実施の形態に係るＯＦＤＭ伝送装置による伝送エラーの補償について説明する。
【００４６】
なお、本実施の形態に係るＯＦＤＭ伝送装置は図１に示したＯＦＤＭ伝送装置と同様であるが、信頼度評価部２３は使用されない。以下、２つのＯＦＤＭ伝送装置が通信を行う例について説明する。２つのＯＦＤＭ伝送装置のうち、第１のＯＦＤＭ伝送装置がデータの送信を行い、第２のＯＦＤＭ伝送装置がデータの受信を行うものとする。
【００４７】
まず、第１のＯＦＤＭ伝送装置の動作についてフローチャートを用いて説明する。図６は、実施の形態２におけるデータの送信を行うＯＦＤＭ伝送装置の動作の一例を示すフローチャートである。図６において、図２と同一符号は図２に示された対象と同一又は相当物を示しており、ここでの説明を省略する。
【００４８】
第２のＯＦＤＭ伝送装置からの再送要求がない場合（Ｓ１，Ｎ）、第１のＯＦＤＭ伝送装置の制御部２１は通常のデータの送信を行う。入力データは、畳み込み符号化部２により畳み込み符号化され（Ｓ２）、パンクチャード符号化部２２によりパンクチャード符号化される（Ｓ３）。この時、パンクチャード符号化により消失した消失ビット列は、送信バッファ４に保持される（Ｓ５１）。パンクチャード符号化された符号化ビット列は、送信するキャリア毎に分割され、ＯＦＤＭ変調部５により制御部２１から指示された変調方式を用いてフレーム単位で変調され、第２のＯＦＤＭ伝送装置へ送信される（Ｓ５）。
【００４９】
一方、第１のＯＦＤＭ伝送装置が、第２のＯＦＤＭ伝送装置からＮＡＣＫ信号を受信した場合（Ｓ１，Ｙ）、第１のＯＦＤＭ伝送装置における制御部２１はＮＡＣＫ信号に付加された制御情報に従って、消失ビット列を送信バッファ４から読み出して再送ビット列とし（Ｓ５２）、再送ビット列を複数キャリアへ分割し、第２のＯＦＤＭ伝送装置へ送信する（Ｓ５）。
【００５０】
次に、第２のＯＦＤＭ伝送装置の動作についてフローチャートを用いて説明する。図７は、実施の形態２におけるデータの受信を行うＯＦＤＭ伝送装置の動作の一例を示すフローチャートである。図７において、図３と同一符号は図３に示された対象と同一又は相当物を示しており、ここでの説明を省略する。
【００５１】
第２のＯＦＤＭ伝送装置における制御部２１は、ＯＦＤＭ復調部８により復調された受信ビット列が再送ビット列ではない場合（Ｓ２１，Ｎ）、制御部２１は通常のデータの受信を行う。処理Ｓ２２と処理Ｓ２３の後、フレームエラー検出部１１はフレームエラーの検出を行う。
【００５２】
フレームエラーが検出された場合（Ｓ２４，Ｙ）、フレームエラー検出部１１は検出結果を制御部２１へ出力する。制御部２１は、再送要求を含めた制御情報をＮＡＣＫ信号に付加し（Ｓ６３）、第１のＯＦＤＭ伝送装置へ送信する（Ｓ４５）。
【００５３】
第２のＯＦＤＭ伝送装置が、第１のＯＦＤＭ伝送装置から再送ビット列を受信した場合（Ｓ２１，Ｙ）、制御部２１は、保持ビット列を受信バッファ９から読み出し（Ｓ６１）、保持ビット列のうちダミービットを消失ビット列へ置き換える部分置き換えを行う（Ｓ６２）。その後、処理Ｓ２３へ移行してビタビ復号を行い、フレームエラーの検出を行う。
【００５４】
以上の処理において、消失ビット列を送信してもフレームエラーが発生した場合は、当該フレームの伝送を始めからやり直し、この処理が規定の回数繰り返し行われた場合はタイムアウトとする。
【００５５】
以上、本実施の形態によれば、データの送信を行うＯＦＤＭ送信装置において、エラー発生時に符号化ビット列に比べて短い消失ビット列のみを送信することにより、伝送効率を向上させることができる。
【００５６】
実施の形態３．
本実施の形態は、再送回数に応じて、実施の形態１の処理と実施の形態２の処理の切り替えを行うものである。以下、本発明の実施の形態に係るＯＦＤＭ伝送装置による伝送エラーの補償について説明する。
【００５７】
なお、本実施の形態に係るＯＦＤＭ伝送装置は図１に示したＯＦＤＭ伝送装置と同様である。以下、２つのＯＦＤＭ伝送装置が通信を行う例について説明する。２つのＯＦＤＭ伝送装置のうち、第１のＯＦＤＭ伝送装置がデータの送信を行い、第２のＯＦＤＭ伝送装置がデータの受信を行うものとする。
【００５８】
まず、第１のＯＦＤＭ伝送装置の動作についてフローチャートを用いて説明する。図８は、実施の形態３におけるデータの送信を行うＯＦＤＭ伝送装置の動作の一例を示すフローチャートである。図８において、図２または図６と同一符号は図２または図６に示された対象と同一又は相当物を示しており、ここでの説明を省略する。
【００５９】
第１のＯＦＤＭ伝送装置が、第２のＯＦＤＭ伝送装置からＮＡＣＫ信号を受信した場合（Ｓ１，Ｙ）、第１のＯＦＤＭ伝送装置における制御部２１は、ＮＡＣＫ信号に付加された制御情報により伝送レートを変更するか否かの判断を行う（Ｓ１１）。
【００６０】
伝送レートに変更がない場合（Ｓ１１，Ｎ）、制御部２１は、再送が１回目であるか否かの判断を行う（Ｓ７１）。伝送レートに変更がある場合（Ｓ１１，Ｙ）、制御部２１はＮＡＣＫ信号に付加された制御情報から変調方式と符号化率を決定し、符号化率に応じて送信バッファ４から送信するビット列を設定し、変調方式をＯＦＤＭ変調部５に設定し（Ｓ１２）、処理Ｓ７１へ移行する。
【００６１】
再送が１回目である場合（Ｓ７１，Ｙ）、制御部２１は制御情報に含まれる低信頼度キャリアの番号に従って、保持ビット列のうち低信頼度キャリアの番号に対応するビット列のみを送信バッファ４から読み出して再送ビット列とし（Ｓ１３）、再送ビット列を複数キャリアへ分割し、第２のＯＦＤＭ伝送装置へ送信する（Ｓ５）。
【００６２】
再送が２回目である場合（Ｓ７１，Ｎ）、制御部２１は制御情報に含まれる再送要求に従って、消失ビット列を送信バッファ４から読み出して再送ビット列とし（Ｓ５２）、再送ビット列を複数キャリアへ分割し、第２のＯＦＤＭ伝送装置へ送信する（Ｓ５）。
【００６３】
次に、第２のＯＦＤＭ伝送装置の動作についてフローチャートを用いて説明する。図９は、実施の形態３におけるデータの受信を行うＯＦＤＭ伝送装置の動作の一例を示すフローチャートである。図９において、図３または図７と同一符号は図３または図７に示された対象と同一又は相当物を示しており、ここでの説明を省略する。
【００６４】
第２のＯＦＤＭ伝送装置における制御部２１は、ＯＦＤＭ復調部８により復調された受信ビット列が再送ビット列ではない場合（Ｓ２１，Ｎ）、制御部２１は通常のデータの受信を行う。処理Ｓ２２と処理Ｓ２３の後、フレームエラー検出部１１はフレームエラーの検出を行う（Ｓ２４）。
【００６５】
フレームエラーが検出された場合（Ｓ２４，Ｙ）、フレームエラー検出部１１は検出結果を制御部２１へ出力する。この時、制御部２１は、再送要求が１回目であるか否かの判断を行う（Ｓ９１）。
【００６６】
再送要求が１回目である場合（Ｓ９１，Ｙ）、制御部２１は、信頼度評価部２３で抽出された低信頼度キャリアの番号を含めた制御情報をＮＡＣＫ信号に付加し（Ｓ４２）、処理Ｓ４３へ移行する。
【００６７】
再送要求が２回目である場合（Ｓ９１，Ｎ）、制御部２１は、再送要求を含めた制御情報をＮＡＣＫ信号に付加し（Ｓ６３）、処理Ｓ４３へ移行する。
【００６８】
第２のＯＦＤＭ伝送装置が、第１のＯＦＤＭ伝送装置から再送ビット列を受信した場合（Ｓ２１，Ｙ）、制御部２１は、保持ビット列を受信バッファ９から読み出し（Ｓ８１）、保持ビット列のうち低信頼度キャリアのビット列を再送ビット列へ置き換える部分置き換えを行う（Ｓ８２）。また、受信した再送ビット列が消失ビット列であれば、制御部２１は、保持ビット列を受信バッファ９から読み出し（Ｓ８１）、保持ビット列のうちダミービットを消失ビット列へ置き換える部分置き換えを行う（Ｓ８２）。その後、処理Ｓ２３へ移行してビタビ復号を行い、フレームエラーの検出を行う。
【００６９】
以上の処理において、信頼度が低いと判断した全てのキャリアのデータを再送し、さらに消失ビット列を送信しても、フレームエラーが発生した場合は、当該フレームの伝送を始めからやり直し、この処理が規定の回数繰り返し行われた場合はタイムアウトとする。
【００７０】
再送が終了した時、第１のＯＦＤＭ伝送装置の制御部２１は、ＯＦＤＭ変調部５における再送時の変調方式と再送時に送信バッファ４から送信されるビット列の設定を元の設定に戻す。また、再送が終了した時、第２のＯＦＤＭ伝送装置の制御部２１は、ＯＦＤＭ復調部８における再送時の変調方式とビタビ復号部１０における再送時の符号化率の設定を元の設定に戻す。
【００７１】
なお、本実施の形態においては、１回目の再送時に伝送レートのみを変更し、２回目の再送時に伝送レートの変更と消失ビット列を送信するとしたが、再送回数によって、伝送レートの変更と消失ビット列の送信を切り替えるようにしても良い。
【００７２】
以上、本実施の形態によれば、再送回数毎に伝送レートの変更と消失ビット列の送信を切り替えることにより、再送の信頼性を向上させることができる。
【００７３】
【発明の効果】
以上に詳述したように本発明によれば、再送時には低速の伝送レートを採用することにより再送の信頼性を向上させることができる。また、パンクチャード符号化による消失ビット列を送信することにより前方誤り訂正（ＦＥＣ：Ｆｏｒｗａｒｄ　Ｅｒｒｏｒ　Ｃｏｒｒｅｃｔｉｏｎ）方式の効果改善を図ることもできる。
【図面の簡単な説明】
【図１】本発明の実施の形態に係るＯＦＤＭ伝送装置の構成の一例を示すブロック図である。
【図２】本発明の実施の形態１におけるデータの送信を行うＯＦＤＭ伝送装置の動作の一例を示すフローチャートである。
【図３】本発明の実施の形態１におけるデータの受信を行うＯＦＤＭ伝送装置の動作の一例を示すフローチャートである。
【図４】キャリア信頼度に基づく伝送レート変更テーブルの一例を示す図である。
【図５】ＢＥＲに基づく伝送レート変更テーブルの一例を示す図である。
【図６】本発明の実施の形態２におけるデータの送信を行うＯＦＤＭ伝送装置の動作の一例を示すフローチャートである。
【図７】本発明の実施の形態２におけるデータの受信を行うＯＦＤＭ伝送装置の動作の一例を示すフローチャートである。
【図８】本発明の実施の形態３におけるデータの送信を行うＯＦＤＭ伝送装置の動作の一例を示すフローチャートである。
【図９】本発明の実施の形態３におけるデータの受信を行うＯＦＤＭ伝送装置の動作の一例を示すフローチャートである。
【図１０】従来のＯＦＤＭ伝送装置の構成の一例を示すブロック図である。
【符号の説明】
２１　制御部、２　畳み込み符号化部、２２　パンクチャード符号化部、４　送信バッファ、５　ＯＦＤＭ変調部、６　アンテナ切替部、７　アンテナ、８　ＯＦＤＭ復調部、９　受信バッファ、１０　ビタビ復号化部、１１　フレームエラー検出部、２３　信頼度評価部。
【図１】
2004147068.tif 000003
【図２】
2004147068.tif 000004
【図３】
2004147068.tif 000005
【図４】
2004147068.tif 000006
【図５】
2004147068.tif 000007
【図６】
2004147068.tif 000008
【図７】
2004147068.tif 000009
【図８】
2004147068.tif 000010
【図９】
2004147068.tif 000011
【図１０】
2004147068.tif 000012